(57)【要約】【課題】浴槽本体と天板部材とを組立てる構造を有する浴槽であって、見栄えをよくすることができる、浴槽を提供する。【解決手段】本発明は、浴室に配置される浴槽であって、底壁部、及び当該底壁部の周縁から起立する筒状の側壁部と、前記側壁部の上端縁から外方に延びるフランジ部、を有する浴槽本体と、前記フランジ部を覆うように枠状に形成された天板部材と、を備え、前記天板部材は、前記フランジ部の上面を覆い、当該フランジ部を越えて、前記浴槽本体の内側に突出している。【選択図】図３
2019088596.tif 000002
【特許請求の範囲】
【請求項１】
浴室に配置される浴槽であって、
底壁部、及び当該底壁部の周縁から起立する筒状の側壁部と、前記側壁の上端縁から外方に延びるフランジ部、を有する浴槽本体と、
前記フランジ部を覆うように枠状に形成された天板部材と、
を備え、
前記天板部材は、前記フランジ部の上面を覆い、当該フランジ部を越えて、前記浴槽本体の内側に突出している、浴槽。
【請求項２】
前記側壁部とフランジ部との連結部分は、円弧状に形成されており、
前記天板部材は、前記連結部分を覆うように形成されている、請求項１に記載の浴槽。
【請求項３】
前記天板部材の内壁面は、下方にいくにしたがって外側に延びて、前記側壁部と接する下端面を有している、請求項１または２に記載の浴槽。
【請求項４】
前記浴槽本体は平面視矩形状に形成されており、
前記側壁部は、対向する一対の第１壁面部、及び前記第１壁面部と直交するように配置されて対向する一対の第２壁面部を備え、
前記天板部材は、前記各第１壁面部と対応するように延びる一対の第１カバー部、及び前記各第２壁面部と対応するように延びる一対の第２カバー部を備え、
前記天板部材においては、一方の前記第１カバー部が前記浴室の洗場に沿うように配置され、
当該一方の第１カバー部は、前記フランジ部から前記洗場側に突出するように形成されている、請求項１または２に記載の浴槽。
【請求項５】
前記側壁部において、前記第１壁面部と前記第２壁面部との連結部分には、上下方向に沿って延び、且つ前記浴槽本体の内側に突出する突条部が形成されており、
前記天板部材における前記第１カバー部と前記第２カバー部との連結部分には、前記突条部を受入れる切り欠きが形成されている、請求項４に記載の浴槽。
【請求項６】
前記第１カバー部は、上面と、前記上面と接続され、前記浴槽本体の内側を向き略上下方向に延びる内壁面と、前記第内壁面の下端部に接続され、下方にいくにしたがって、前記側壁部の第１壁面部に向って傾斜する下端面と、を備えており、
前記第２カバー部は、上面と、前記上面と接続され、前記浴槽本体の内側を向き略上下方向に延びる内壁面と、前記第内壁面の下端部に接続され、下方にいくにしたがって、前記側壁部の第２壁面部に向って傾斜する下端面と、を備えており、
前記第１カバー部の下端面と、前記第２カバー部の下端面との接続部分には、前記切り欠きが形成されており、
前記切り欠きにおいて、前記第１カバー部の下端面の上端と、前記第２カバー部の下端面の上端とが、一致するように構成されている、請求項５に記載の浴槽。
【請求項７】
前記一方の第１カバー部には、前記側壁部において前記洗場を向く面を覆うエプロン部材が取付けられている、請求項４から６のいずれかに記載の浴槽。
【請求項８】
前記天板部材は、前記一対の第１カバー部及び前記一対の第２カバー部を組立てることで、枠状に形成され、
前記各第１カバー部及び各第２カバー部の少なくとも１つの表面の少なくとも一部には装飾用シートが取付けられている、請求項４から７のいずれかに記載の浴槽。
【請求項９】
前記一対の第１カバー部及び前記一対の第２カバー部は、直方体状に形成されている、請求項８に記載の浴槽。
【請求項１０】
前記フランジ部の一部の外縁と、前記浴室の壁面との間には隙間が形成されており、
前記天板部材は、前記隙間を埋めるように、前記フランジ部から突出している、請求項１から９のいずれかに記載の浴槽。
【発明の詳細な説明】
【技術分野】
【０００１】
本発明は、浴槽に関する。
【背景技術】
【０００２】
浴室に配置される浴槽は、種々の構造を有する者が提案されているが、例えば、特許文献１には、次のような浴槽が開示されている。この浴槽は、底壁部、その周縁から立ち上がる角筒状の側壁部、及びこの側壁部の上端から外側に延びる枠状のフランジ部を有する浴槽本体と、フランジ部の上面に配置される天板部材と、を備えている。そして、天板部材のみを人工大理石などで形成することで、比較的安価に、浴槽の装飾性を向上したり、高級感を奏するようにしている。
【先行技術文献】
【特許文献】
【０００３】
【特許文献１】実開平４−４６８９０号公報
【発明の概要】
【発明が解決しようとする課題】
【０００４】
しかしながら、上記浴槽では、浴槽本体のフランジ部と天板部材との接続部分にシーリング処理を行う必要があり、見栄えがよくなかった。本発明は、上記問題を解決するためになされたものであり、浴槽本体と天板部材とを組立てる構造を有する浴槽であって、見栄えをよくすることができる、浴槽を提供することを目的する。
【課題を解決するための手段】
【０００５】
本発明は、浴室に配置される浴槽であって、底壁部、及び当該底壁部の周縁から起立する筒状の側壁部と、前記側壁部の上端縁から外方に延びるフランジ部、を有する浴槽本体と、前記フランジ部を覆うように枠状に形成された天板部材と、を備え、前記天板部材は、前記フランジ部の上面を覆い、当該フランジ部を越えて、前記浴槽本体の内側に突出している。
【０００６】
上記浴槽において、前記側壁部とフランジ部との連結部分は、円弧状に形成されており、前記天板部材は、前記連結部分を覆うように形成することができる。
【０００７】
上記浴槽において、前記天板部材の内壁面は、下方にいくにしたがって外側に延びて、前記側壁部と接する下端面を有するように構成することができる。
【０００８】
上記各浴槽において、前記浴槽本体は平面視矩形状に形成されており、前記側壁部は、対向する一対の第１壁面部、及び前記第１壁面部と直交するように配置されて対向する一対の第２壁面部を備え、前記天板部材は、前記各第１壁面部と対応するように延びる一対の第１カバー部、及び前記各第２壁面部と対応するように延びる一対の第２カバー部を備え、前記天板部材においては、一方の前記第１カバー部が前記浴室の洗場に沿うように配置され、当該一方の第１カバー部は、前記フランジ部から前記洗場側に突出するように形成することができる。
【０００９】
上記各浴槽では、前記側壁部において、前記第１壁面部と前記第２壁面部との連結部分には、上下方向に沿って延び、且つ前記浴槽本体の内側に突出する突条部が形成されており、前記天板部材における前記第１カバー部と前記第２カバー部との連結部分には、前記突条部を受入れる切り欠きが形成されているものとすることができる。
【００１０】
上記各浴槽において、前記第１カバー部は、上面と、前記上面と接続され、前記浴槽本体の内側を向き略上下方向に延びる内壁面と、前記第内壁面の下端部に接続され、下方にいくにしたがって、前記側壁部の第１壁面部に向って傾斜する下端面と、を備えており、前記第２カバー部は、上面と、前記上面と接続され、前記浴槽本体の内側を向き略上下方向に延びる内壁面と、前記第内壁面の下端部に接続され、下方にいくにしたがって、前記側壁部の第２壁面部に向って傾斜する下端面と、を備えており、前記第１カバー部の下端面と、前記第２カバー部の下端面との接続部分には、前記切り欠きが形成されており、前記切り欠きにおいて、前記第１カバー部の下端面の上端と、前記第２カバー部の下端面の上端とが、一致するように構成することができる。
【００１１】
上記各浴槽において、前記一方の第１カバー部には、前記側壁部において前記洗場を向く面を覆うエプロン部材を取付けることができる。
【００１２】
上記各浴槽において、前記天板部材は、前記一対の第１カバー部及び前記一対の第２カバー部を組立てることで、枠状に形成され、前記各第１カバー部及び各第２カバー部の少なくとも１つの表面の少なくとも一部には装飾用シートが取付けられているものとすることができる。
【００１３】
上記各浴槽において、前記一対の第１カバー部及び前記一対の第２カバー部は、直方体状に形成することができる。
【００１４】
上記各浴槽において、前記フランジ部の一部の外縁と、前記浴室の壁面との間には隙間が形成されており、前記天板部材は、前記隙間を埋めるように、前記フランジ部から突出させることができる。
【発明の効果】
【００１５】
本発明によれば、浴槽本体と天板部材とを組立てる構造を有する浴槽において、見栄えをよくすることができる。
【図面の簡単な説明】
【００１６】
【図１】本発明に係る浴槽の一実施形態を示す斜視図である。
【図２】図１の浴槽における浴槽本体の斜視図である。
【図３】図２のＡ−Ａ線断面図である。
【図４】図１の浴槽における天板部材の斜視図である。
【図５】図１のＢ−Ｂ線断面図である。
【図６】図１のＣ−Ｃ線断面図である。
【図７】図１のＤ−Ｄ線断面図である。
【図８】図１の浴槽における第２長辺部と短辺部との連結部分の拡大図である。
【図９】図８のＥ−Ｅ線断面図である。
【図１０】連結構造の断面図である。
【図１１】連結構造による浴槽本体と天板部材との組立を示す断面図である。
【図１２】連結構造により、浴槽本体と天板部材との固定状態を示す断面図である。
【図１３】図１の浴槽の他の例を示す断面図である。
【発明を実施するための形態】
【００１７】
以下、本発明に係る浴槽の一実施形態について、図面を参照しつつ説明する。
【００１８】
＜１．浴槽の概要＞
図１は本実施形態に係る浴槽の斜視図である。図１に示すように、本実施形態に係る浴槽は、浴室に配置されるものであり、浴槽本体１と、その上面を覆う枠型の天板部材２と、浴槽本体１の側面を覆うエプロン部材３と、を備えている。これらを構成する材料は特には限定されないが、例えば、浴槽本体１は、例えば、ＦＲＰや人工大理石成形品などで形成することができる。一方、天板部材２は、例えば、発泡材などの樹脂材料で形成することができる。また、エプロン部材３は、樹脂材料で形成することができる。但し、図１では、エプロン部材３を取り外した図を示している。以下、これらについて、詳細に説明する。
【００１９】
＜１−１．浴槽本体＞
図２は浴槽本体の斜視図、図３は図２のＡ−Ａ線断面図である。図２に示すように、浴槽本体１は、矩形状の底壁部１１と、この底壁部１１の周縁から立ち上がる角筒状の側壁部１２とを備えており、これらによって湯が貯まる空間部が形成される。より詳細に説明すると、底壁部１１は、一対の長辺と、一対の短辺とを有する長方形状に形成されており、このうち、一の長辺と一対の短辺が、概ね浴室の壁面５に沿うように構成され、他の長辺が洗場を向くように構成される。これと対応して、側壁部１２は、底壁部１１の長辺から立ち上がる一対の長壁部（第１壁面部）１２１，１２２及び、短辺から立ち上がる一対の短壁部（第２壁面部）１２３，１２４を組み合わせることで構成されている。ここでは、側壁部１２の長壁部１２１，１２２のうち、洗場を向くものを第１長壁部１２１と称し、これとは反対側を第２長壁部１２２と称することとする。したがって、側壁部のうち、両短壁部１２３，１２４及び第２長壁部１２２は、洗場の壁面５と対向するように配置されている。
【００２０】
側壁部１２において、長壁部１２１，１２２と短壁部１２３，１２４との連結部分には、上下方向に延び、且つ浴槽本体１の空間部側に突出する突条部１８が形成されている。突条部１８は、長壁部１２１，１２２と短壁部１２３，１２４との間で円弧状に突出する滑らかな面を形成している。さらに、側壁部１２の上端縁には、外方に向かって水平に延びるフランジ部１３が形成され、このフランジ部１３の外周縁には、下方に向かって延びるエッジ部１４が形成されている。したがって、フランジ部１３及びエッジ部１４は、側壁部１２と対応するように、平面視矩形状の枠状に形成されている。
【００２１】
図２に示すように、フランジ部１３と側壁部１２との連結部分は、滑らかな円弧状に形成されている。また、フランジ部１３には、複数箇所に円形の取付孔１５（図１０参照）が形成されており、この取付孔１５は、後述する天板部材２との固定に用いられる。エッジ部１４のうちの３辺は、側壁部１２とともに、浴室の壁面５と対向しているが、壁面５との間には隙間が形成されている。この点については後述する。
【００２２】
＜１−２．天板部材＞
次に、天板部材について、図４〜図７を参照しつつ説明する。図４は天板部材の斜視図、図５は図１のＢ−Ｂ線断面図、図６は図１のＣ−Ｃ線断面図、図７は図１のＤ−Ｄ線断面図である。
【００２３】
図４に示すように、天板部材２は、浴槽本体１のフランジ部１３上に配置される部材であり、平面視矩形状の枠状に形成されている。より詳細には、浴槽本体１の長壁部１２１，１２２と対応する一対の長辺部（第１カバー部）２１，２２と、短壁部１２３，１２４と対応する一対の短辺部（第２カバー部）２３，２４と、を組み合わせることで構成されている。そして、長辺部２１，２２及び短辺部２３，２４は、それぞれ直方体状に形成され、例えば、押出し成形により形成することができる。また、長辺部２１，２２の両端部において、互いに対向する内壁面同士を繋ぐように、短辺部２３，２４が固定されている。なお、以下では、２つの長辺部２１，２２のうち、洗場に面する長辺部を第１長辺部２１、反対側を第２長辺部２２と称することとする。
【００２４】
＜１−２−１．長辺部＞
次に、第１長辺部２１について説明する。図５に示すように、第１長辺部２１は、上面２１１、浴槽の内側を向く内壁面２１２、浴槽の外側を向く外壁面２１３、下面２１４、及び長手方向の両端の一対の側壁面２１５を有しており、全体として、直方体状に形成されている。
【００２５】
特に、第１長辺部２１は、フランジ部１３から洗場側へ大きく突出しており、第１長辺部２１の下面２１４には、外側から内側に向かって、水平に延びる突出面２１４１、フランジ部１３と接する接触面２１４２、及び内壁面２１２と接続される下端面２１４３が、この順で形成されている。突出面２１４１は、フランジ部１３から洗場側へ突出する面であり、長手方向に延びる溝２１６が形成されている。そして、この溝２１６には、下方へ延びる板状のエプロン部材３が嵌め込まれている。このエプロン部材３により、浴槽本体１の第１長壁部１２１が洗場側から見えないように覆われる。
【００２６】
接触面２１４２は、突出面２１４１と連続する面であり、外側から内側に向かって、フランジ部１３の上面と接する平坦面、及びフランジ部１３と第１長壁部１２１との連結部分と接する曲面が、この順で連続するように形成されている。曲面は、内側にいくにしたがって下方に延びる円弧状に形成されている。また、下端面２１４３は、接触面２１４２の曲面と、内壁面２１２とを連結するように形成され、内側にいくにしたがって上方に延びるような概ね平坦な傾斜面により構成されている。
【００２７】
次に、第２長辺部２２について説明する。図６に示すように、第２長辺部２２は、第１長辺部２１と同様に、上面２２１、浴槽の内側を向く内壁面２２２、浴槽の外側を向く外壁面２２３、下面２２４、及び長手方向の両端の一対の側壁面２２５を有しており、全体として、直方体状に形成されている。第１長辺部２１との違いは次の通りである。
【００２８】
まず、第１長辺部２１よりも幅が狭く、外側への突出量が小さい。また、下面２２４の構成が第１長辺部２１と相違している。すなわち、第２長辺部２２の下面２２４には、外側から内側に向かって、突出部２２４１、フランジ部１３と接する接触面２２４２、及び内壁面２２２と接続される下端面２２４３が、この順で形成されている。突出部２２４１は、外壁面２２３と連続するように下方に突出しており、この突出部２２４１は、上述したエッジ部１４に係合するようになっている。接触面２２４２は、外側から内側に向かって、フランジ部１３の上面と接する平坦面、及びフランジ部１３と第２長壁部１２２との連結部分と接する曲面が、この順で連続するように形成されている。曲面は、内側にいくにしたがって下方に延びる円弧状に形成されている。また、下端面２２４３は、接触面２２４２の曲面と、内壁面２２２とを連結するように形成され、内側にいくにしたがって上方に延びるような概ね平坦な傾斜面により構成されている。
【００２９】
このように、第２長辺部２２は、フランジ部１３よりも外側に突出しているが、突出した外壁面２２３が浴室の壁面５と接触するようになっている。すなわち、上述したとおり、エッジ部１４と浴室の壁面５との間には隙間が形成されているが、第２長辺部２２により、その隙間が埋められるようになっている。
【００３０】
＜１−２−２．短辺部＞
次に、短辺部２３，２４について、図７を参照しつつ説明する。図７に示すように、２つの短辺部２３，２４は、同じ構成であるため、一方のみ説明する。すなわち、短辺部２３は、上面２３１、浴槽の内側を向く内壁面２３２、浴槽の外側を向く外壁面２３３、下面２３４、及び長手方向の両端の一対の側壁面を有しており、全体として、直方体状に形成されている。なお、側壁面は、長辺部２１，２２の内壁面２１２，２２２に固定される面である。
【００３１】
短辺部２３の厚みは、長辺部２１，２２よりもやや小さく、上面２３１が長辺部２１，２２の上面２１１，２２１よりもやや下方に配置されている。また、短辺部２３の内壁面２３２は、円弧状に傾斜しており、下方にいくにしたがって内側に延びるように形成されている。短辺部２３の下面２３４は、フランジ部１３と接する接触面２３４２、及び内壁面２３２と接続される下端面２３４３が、この順で形成されている。第２長辺部２２と異なり、突出部が設けられていないが、その他の具体的な構成は、第２長辺部２２とほぼ同じであるため、説明を省略する。
【００３２】
このように、各短辺部２３，２４は、フランジ部１３よりも外側に突出しているが、突出した外壁面２３３が浴室の壁面５と接触するようになっている。上述したとおり、エッジ部１４と浴室の壁面５との間には隙間が形成されているが、各短辺部２３，２４により、その隙間が埋められるようになっている。
【００３３】
＜１−２−３．長辺部と短辺部との連結部分の構造＞
次に、長辺部２１，２２と短辺部２３，２４との連結部分の構成について、図８及び図９を参照しつつ説明する。図８は第２長辺部と短辺部との連結部分の拡大図、図９は図８のＥ−Ｅ線断面図である。上記のように、浴槽本体１の側壁部１２には、長壁部１２１，１２２と短壁部１２３，１２４との連結部分に、上下方向に延びる突条部１８が形成されている。そのため、第２長辺部２２と短辺部２３との連結部分には、この突条部１８と干渉しないように、切り欠き部２８が形成されている。なお、ここでは、第２長辺部２２と一方の短辺部２３との連結について説明するが、第１長辺部２１と短辺部２３，２４との連結構造も同じである。
【００３４】
具体的には、図８に示すように、第２長辺部２２及び短辺部２３の下端面２２４３，２３４３の両側部が斜めに切りかかれており、これら傾斜部分２２８，２３８の間に形成される凹部（切り欠き部）２８に、突条部１８が嵌まるようになっている。また、第２長辺部２２と短辺部２３において、切り欠かれた下端面２２４３，２３４３の上端の点Ｘ同士が接触するように構成されている。これにより、天板部材２と突条部１８との干渉をなくすとともに、第２長辺部２２と短辺部２３の下端面２２４３，２３４３同士が滑らかに繋がっているように見せることができる。
【００３５】
＜１−３．浴槽本体と天板部材との連結構造＞
次に、浴槽本体１と天板部材２との連結構造について、図１０を参照しつつ説明する。図１０は、浴槽本体の天板部材の連結構造を示す断面図である。なお、このような連結構造は、浴槽本体１のフランジ部１３と天板部材２のいずれの位置に設けられてもよく、個数も特には限定されない。好ましくは、フランジ部１３もしくは天板部２のコーナーと２０〜５０ｃｍおきに設けられる。以下では、一例として、天板部材２の第２長辺部２２とフランジ部１３との連結構造について説明する。
【００３６】
まず、上述したように、浴槽本体１のフランジ部１３には、複数箇所に取付孔１５が形成されている。これと対応するように、図１０に示すように、天板部材２には、複数の固定部４が取付けられている。各固定部４は、取付孔１５に嵌まる突出部材４１と、この突出部材４１を支持する支持部材４２と、を備えている。突出部材４１は、断面円形状に形成された棒状部４１１と、この棒状部４１１の上端部に形成されたヘッド部４１２とを備えている。棒状部４１１は、フランジ部１３の取付孔１５の内径よりも大きい径を有しており、後述するように、取付孔１５に圧入される部位である。そして、棒状部４１１の下端部は半球状に形成されており、取付孔１５への位置決めを容易にしている。また、ヘッド部４１２は、棒状部４１１よりも幅広で具体的には径の大きい円板状に形成されている。但し、その上面は中央にいくにしたがって厚みが大きくなるような断面円弧状に形成されている。なお、突出部材４１は、例えば、弾性変形可能な樹脂材料等で形成することができる。
【００３７】
一方、支持部材４２は、第２長辺部２２の下面２２４に形成された凹部１３１に固定される板状の基部４２１と、この基部４２１に取付けられる保持部４２２と、を備えている。保持部４２２は、基部４２１との間で空間部を形成するようにカップ状に形成されており、底面には保持部４２２を貫通する挿通孔４２３が形成されている。そして、この空間部に、突出部材４１のヘッド部４１２が収容されるとともに、挿通孔４２３に棒状部４１１が挿通される。空間部の上下方向の高さは、ヘッド部４１２の厚みとほぼ同じであり、これによって、空間部において、突出部材４１が上下動しないように保持される。また、挿通孔４２３の径は、ヘッド部４１２よりも小さいが、棒状部４１１よりは大きくなっている。そのため、突出部材４１が挿通孔４２３から抜け出るのを防止することができるとともに、棒状部４１１が挿通孔４２３内で水平方向に移動するようになっている。したがって、突出部材４１は、支持部材４２によって、上下動はしないが、水平方向には１ｍｍ〜１ｃｍ程度移動可能に保持されるようになっている。なお、製造精度にもよるが、棒状部４１１は水平方向のうち、特定方向、具体的には、長辺部２１，２２や短辺部２３，２４の長手（延び）方向または幅方向に移動するようになっていてもよい。また、突出部材４１のヘッド部４１２は中央の厚みが大きく、この部分が主として基部４２１に接している。そのため、突出部材４１が支持部材４２内で移動する際の摩擦抵抗が低減され、スムーズに移動できるようになっている。
【００３８】
＜２．浴槽の組立＞
まず、浴槽本体１を浴室内に配置する。上記のように、側壁部１２の第２長壁部１２２及び両短壁部１２３，１２４が、浴室の壁面５と対向するように配置され、これと対応するエッジ部１４と、浴室の壁面５との間には、例えば、図６及び図７に示すように、隙間が形成される。
【００３９】
次に、天板部材２を取付ける。まず、天板部材２を浴槽本体１のフランジ部１３上に配置し、突出部材４１の先端部が、取付孔１５に嵌まるように位置決めする。このとき、突出部材４１の先端部は半球状に形成されているため、取付孔１５に嵌まりやすい。このとき、例えば、図１１に示すように、突出部材４１の先端が取付孔１５に完全に嵌まらないとしても、突出部材４１は水平方向に移動可能に保持されているため、天板部材２を押圧すると、突出部材４１は先端部の半球部分が、取付孔１５に嵌まるように水平方向に移動する。その上で、さらに天板部材２を下方に向けて押圧すると、図１２に示すように、突出部材４１が取付孔１５に圧入され、天板部材２が浴槽本体１に固定される。
【００４０】
このとき、天板部材２の第２長辺部２２及び両短辺部２３，２４は、図６及び図７に示すように、エッジ部１４と浴室の壁面５を埋め、第２長辺部２２及び両短辺部２３，２４の外壁面２３３，２４３は、浴室の壁面５と接するように配置される。そして、最後に、天板部材２の第１長辺部２１の溝２１６に、エプロン部材３を嵌め込んで、浴槽本体１の第１長壁部１２１を覆えば、図１に示すように、浴槽の組立が完了する。
【００４１】
＜３．特徴＞
以上のように、本実施形態によれば、以下の効果を得ることができる。
（１）浴槽本体１のフランジ部１３が、天板部材２に覆われ、特に、天板部材２の内壁面２１２，２２２，２３２，２４２が浴槽本体１の内側に突出しているため、フランジ部１３と天板部材２の接続部分を隠すことができ、見栄えをよくすることができる。また、天板部材２の下端面２１４３，２２４３，２３４３，２４４３が下方に向かって斜めに傾斜しながら、フランジ部１３と側壁部１２との連結部分を覆って、側壁部１２の内面にまで延びているため、汚れが溜まりにくく、清掃を容易にすることができる。
【００４２】
（２）天板部材２が、浴槽本体１とは別部材で形成され、且つ複数の直方体形状の長辺部２１，２２及び短辺部２３，２４を組み合わせることで形成されている。そのため、これら長辺部２１，２２及び短辺部２３，２４の表面に、木目などの意匠性の高いシートを貼付けたり、巻き付けたりすることができる。したがって、天板部材２の装飾性を大きく向上することができる。例えば、長辺部２１，２２及び短辺部２３，２４は、発泡材などの樹脂材料の押出成形によって形成することができ、これに装飾用のアクリルやＡＢＳ等のシートを接着剤、熱処理などによって貼付けることができる。
【００４３】
（３）天板部材２のみを取り外すことができるため、浴槽のうち、天板部材２のみを交換することができる。したがって、浴槽全体を交換する必要がなく、施工性が高く、また交換に係るコストを低減することができる。例えば、浴槽本体１を取り外すには追い炊きのためなどの配管を取り外す必要があるが、そのような作業が不要であるため、施工性が高い。
【００４４】
（４）浴槽本体１のエッジ部１４と、浴室の壁面５との間には隙間が形成されているため、この隙間に手を入れながら作業ができる。したがって、施工性を高めることができる。その一方で、天板部材２の第２長辺部２２の外壁面２２３及び短辺部２３，２４の外壁面２３３，２４３は、壁面５に接しており、この間に指を入れることはできない。したがって、例えば、一般利用者が天板部材２を真っ直ぐに引っ張り上げて取り外すことはほぼ不可能である。よって、天板部材２にがたつきが生じるのを防止することができる。
【００４５】
（５）天板部材２に設けられた突出部材４１が水平方向に移動可能に保持されているため、例えば、図１０に示すように、寸法誤差により突出部材４１の軸心と、取付孔１５の軸心とがずれていたとしても、突出部材４１が水平方向に移動することで、両者の軸心が揃うため、突出部材４１を取付孔１５に対して正確に嵌め込むことができる。したがって、天板部材２と浴槽本体１とを確実に固定することができる。
【００４６】
（６）突出部材４１は圧入により取付孔１５に嵌め込まれるため、天板部材２を押し込むだけで、浴槽本体１への固定が可能となる。ボルトなどで固定する作業が不要となり、施工性を高めることができる。
【００４７】
＜４．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００４８】
＜４−１＞
上記実施形態では、天板部材２を矩形の枠状に形成しているが、これに限定されず、平面視円形、楕円形、多角形など種々の形状にすることができる。これに合わせて、浴槽本体１も平面視円形、楕円形、多角形状にすることもできる。また、エッジ部１４は必ずしも必要ではない。
【００４９】
＜４−２＞
天板部材２は、少なくとも内壁面側が、フランジ部１３を越えて内側に突出することで、フランジ部１３と天板部材２との接触部分が隠れるように構成されていればよいため、その他の形状は特には限定されない。したがって、例えば、上記実施形態では、天板部材２に下端面２１４３，２２４３，２３４３，２４４３を形成しているが、このような面がなくてもよい。
【００５０】
＜４−３＞
浴槽本体１のフランジ部１３の幅や、天板部材２の長辺部２１，２２及び短辺部２３，２４の幅は特には限定されず、例えば、図１３（ａ）に示すように、両者の幅を小さくしたり、図１３（ｂ）に示すように、天板部材２の上面を円弧状に形成することもできる。
【００５１】
＜４−４＞
浴槽本体１のエッジ部１４を浴室の壁面５と接するようにしてもよい。あるいは、天板部材２と浴室の壁面５との間に隙間を形成することもできる。
【００５２】
＜４−５＞
天板部材２の長辺部２１，２２と短辺部２３，２４との連結部分の切り欠き部２８の形状は特には限定されず、上記実施形態のような形状以外でもよい。すなわち、浴槽本体１の突条部１８と干渉しないような形態であれば、特には限定されない。また、突条部の形状も特には限定されない。あるいは、浴槽本体１に突条部１８を形成しなくてもよい。
【００５３】
＜４−６＞
上記実施形態では、図１０〜図１２に示すような連結構造により、浴槽本体１と天板部材２とを連結しているが、これらの連結方法は特には限定されず、ネジ、接着剤など、種々の連結方法を採用することができる。
【符号の説明】
【００５４】
１  浴槽本体
１１  底壁部
１２  側壁部
１３  フランジ部
２  天板部材
２１  第１長辺部（第１カバー部）
２２  第２長辺部（第１カバー部）
２３  第１短辺部（第２カバー部）
２４  第２短辺部（第２カバー部）
２８  切り欠き部
３  エプロン部材
【図１】
2019088596.tif 000003
【図２】
2019088596.tif 000004
【図３】
2019088596.tif 000005
【図４】
2019088596.tif 000006
【図５】
2019088596.tif 000007
【図６】
2019088596.tif 000008
【図７】
2019088596.tif 000009
【図８】
2019088596.tif 000010
【図９】
2019088596.tif 000011
【図１０】
2019088596.tif 000012
【図１１】
2019088596.tif 000013
【図１２】
2019088596.tif 000014
【図１３】
2019088596.tif 000015